(57)【特許請求の範囲】
【請求項１】
仮設トイレであって、
前記仮設トイレの外形に沿って組み立てられるフレームと、
前記フレームに固定され、前記仮設トイレの側面を形成する側面用幕と、
前記側面用幕の内側に上側が開くように取り付けられる略逆三角形のシート状の受け部と、
前記受け部がその上側を開いた形状を保持するように前記受け部の上縁部及び正面に着脱可能に取り付けられる成形バーと、
前記受け部で受けた小便を前記仮設トイレ外へと排出するための排水チューブと、
を備え、
前記受け部及び前記成形バーによって小便器が形成されることを特徴とする仮設トイレ。
【請求項２】
請求項１に記載の仮設トイレであって、
前記排水チューブは、前記排水チューブに接続するホースを挿入可能な開口を上部に有する、
ことを特徴とする仮設トイレ。
【請求項３】
請求項１または２に記載の仮設トイレであって、
前記側面用幕の外側には前記排水チューブの先端が接続されるタンクが配置され、
前記側面用幕は、前記タンクに貯留される小便の量を前記側面用幕の内側から確認するための覗き窓を有する、
ことを特徴とする仮設トイレ。
【請求項４】
請求項１から３のいずれか一つに記載の仮設トイレであって、
前記側面用幕のみを他の幕から独立して交換可能に構成した、
ことを特徴とする仮設トイレ。
【請求項５】
請求項１から４のいずれか一つに記載の仮設トイレであって、
前記仮設トイレは個室用幕で仕切られた個室を有し、
前記個室用幕には開口部が形成されるとともに、前記開口部の上端に取り付けられ、かつ、下側に垂らした状態で前記開口部に対向する部分に前記個室が使用中であることを示す文字、記号、色、又はイラストが付された吊下幕と、前記吊下幕を上側にめくった状態で前記吊下幕を固定する固定手段とが設けられる、
ことを特徴とする仮設トイレ。
【発明の詳細な説明】
【技術分野】
【０００１】
本発明は、被災地、イベント会場、工事現場等に設置される仮設トイレに関する。
【背景技術】
【０００２】
従来の仮設トイレとしては、特許文献１に開示されるようなボックス型の仮設トイレが一般的である。
【０００３】
ボックス型の仮設トイレは、人一人を収容可能なボックスと、ボックス内に設置される便器とで構成される。また、利用者がボックスに出入りする際の重量バランスの変化や風等の外力によって容易に動いたり転倒したりしないように、十分な重さを有している。
【先行技術文献】
【特許文献】
【０００４】
【特許文献１】特開２０１１−９４４２７号公報
【発明の概要】
【発明が解決しようとする課題】
【０００５】
大勢の利用者が想定される場所に仮設トイレを設置する場合、想定される利用者数に対応できるだけの数の仮設トイレを設置する必要がある。しかしながら、従来のボックス型の仮設トイレは上記の通り重く、また、折りたたむことができないため、搬送及び設置が大変であるという問題があった。
【０００６】
本発明は、このような技術的課題を鑑みてなされたもので、軽量かつ折りたたみ可能な仮設トイレを提供することを目的とする。
【課題を解決するための手段】
【０００７】
本発明のある態様によれば、仮設トイレであって、前記仮設トイレの外形に沿って組み立てられるフレームと、前記フレームに固定され、前記仮設トイレの側面を形成する側面用幕と、前記側面用幕の内側に上側が開くように取り付けられる略逆三角形のシート状の受け部と、前記受け部がその上側を開いた形状を保持するように前記受け部の上縁部及び正面に着脱可能に取り付けられる成形バーと、前記受け部で受けた小便を前記仮設トイレ外へと排出するための排水チューブと、を備え、前記受け部及び前記成形バーによって小便器が形成されることを特徴とする仮設トイレが提供される。
【発明の効果】
【０００８】
上記態様によれば、軽量かつ折りたたみ可能な仮設トイレが提供される。
【図面の簡単な説明】
【０００９】
【図１】仮設トイレの全体図である。
【図２】仮設トイレの内部配置図である。
【図３】小便器を斜め方向から見た図である。
【図４】小便器を上側から見た図である。
【図５】仮設トイレの外側に設置されるポリタンクを示した図である。
【図６】表示部を裏側から見た図である。
【図７】表示部を裏側から見た図である。
【図８】表示部を表側から見た図である。
【発明を実施するための形態】
【００１０】
以下、添付図面を参照しながら本発明の実施形態について説明する。
【００１１】
図１は、本発明の実施形態に係る仮設トイレ１の全体を示している。仮設トイレ１は、フレーム式のテントの如く、仮設トイレ１の外形に沿って組み立てられたフレーム２に、複数の幕（天幕３、小便用外幕４、個室用内幕５及び個室用外幕６）を被せ、これら幕３〜６をフレーム２に固定することで構成される。フレーム２の構造、及び、フレーム２への幕３〜６の固定方法は、フレーム式のテントと同じであるので、ここでは詳しい説明を省略する。
【００１２】
仮設トイレ１の内部は、図２に示すように、中央に通路７が配置され、通路７を挟んで一方の側に四つの小便器８、他方の側に三つの個室９がそれぞれ配置される。三つの個室９のうち一つは車椅子用であり、残りの二つの個室よりも広くなっている。個室９内にはそれぞれ容易に持ち運びができる軽量かつ折りたたみ可能な簡易式便器１０が設置される。
【００１３】
各個室９の入口には、図１に示すように、個室用内幕５を部分的に開閉するファスナー１１が設けられており、ファスナー１１を開いた状態では利用者が個室９に出入りすることができる。また、各個室９の入口には、個室９の使用状態を示す表示部１２が設けられており、個室９が現在使用中か否かを外部から確認することができる。表示部１２の構成については後述する。なお、個室用内幕５は遮光性のシートで構成され、内部が透けて見えないようになっている。
【００１４】
また、小便用外幕４の外側にはポリタンク１３が設置されており、小便用外幕４から延びる排水チューブ１４の先端がポリタンク１３の口に挿入されている。小便器８で受けた小便は、排水チューブ１４を介してポリタンク１３へと送られ、ポリタンク１３内に貯留される。
【００１５】
図３及び図４はそれぞれ小便器８を示している。小便器８は、小便用外幕４の内側に下側の二辺が溶着される略逆三角形のシート状の受け部８１と、受け部８１の上縁部及び正面に着脱可能に取り付けられる樹脂製又は金属製の二本の成形バー８２、８３とによって構成される。
【００１６】
受け部８１は、上縁部及び正面に複数のループ８１ｒを有している。複数のループ８１ｒに成形バー８２、８３を通すことによって、受け部８１は、上側が開かれた状態を保持する。ループ８１ｒのうち、上縁部の両端、及び、正面の上端及び下端に設けられるループは、成形バー８２、８３の端部が保持されるように一方の側が閉じられている。
【００１７】
小便用外幕４の受け部８１下端に対応する位置には、受け部８１で受けた小便を仮設トイレ１外へと排出するための排水口８４が開口している。
【００１８】
図５は、小便用外幕４の外側に接続される排水チューブ１４及び小便用外幕４の外側に配置されるポリタンク１３を示している。
【００１９】
排水チューブ１４は上側が開いたラッパ状であり、ラッパ状の口の下側が排水口８４よりも下側になるように小便用外幕４に溶着されている。排水口８４を通って仮設トイレ１の外に排出される小便は、排水チューブ１４を通ってポリタンク１３へと送られ、ポリタンク１３内に貯留される。
【００２０】
ポリタンク１３内に貯留される小便の量は、小便用外幕４の下側に設けられる覗き窓４１を介して、仮設トイレ１内から確認することができる。
【００２１】
排水チューブ１４のラッパ状の口は、下側のみが小便用外幕４に溶着されており、上側の縁部を掴んで手前に引けば広げることができる。これにより、排水チューブ１４の上側に開口１５が形成され、この開口１５から蛇腹状のホースを挿入し、排水チューブ１４の先端に蛇腹状のホースを装着するようにすれば、蛇腹状のホースを介してさらに遠くの場所、例えば、マンホール、排水路、ポリタンク１３よりも容量の大きなタンク等に小便を排出することもできる。
【００２２】
以上のように構成される小便器８は、軽量であり、また、二本の成形バー８２、８３を受け部８１から取り外せば小便用外幕４とともに折りたたむことができる。これにより、軽量かつ折りたたみ可能な仮設トイレ１が実現される。
【００２３】
また、小便器８が汚れた場合は、小便用外幕４のみをフレーム２から取り外し、新しい小便用外幕４に交換することができる。使用済みの仮設トイレ１を再利用する場合も、小便用外幕４のみを新しいものに交換すればよい。
【００２４】
図６は、表示部１２を裏側から見た図である。表示部１２は、図１に示したように、個室用内幕５の各個室９の入口に対応する部分に設けられる。
【００２５】
表示部１２は、個室用内幕５に形成される矩形の開口部２１と、開口部２１を覆うように縫い付けられる透明シート２２と、透明シート２２の上端に縫い付けられる吊下幕２３とを備える。吊下幕２３の一方の面（下側に垂らした状態で開口部２１及び透明シート２２に対向する側の面）には、個室９が使用中であることを示す「使用中」の文字が印刷されている。
【００２６】
吊下幕２３の自由端側縁部は両側が面ファスナー２４になっており、開口部２１の上側及び下側に設けられる面ファスナー受け部２５に着脱可能になっている。
【００２７】
吊下幕２３を上側にめくり、面ファスナー２４を上側の面ファスナー受け部２５に取り付けた状態（図６の状態）では、開口部２１及び透明シート２２を遮るものがなく、個室９を利用しようとする人が開口部２１を介して個室９の中の覗き、個室９が空いていることを確認できる。
【００２８】
これに対し、吊下幕２３を下側に垂らし、面ファスナー２４を下側の面ファスナー受け部２５に取り付けた状態（図７の状態）では、開口部２１及び透明シート２２が吊下幕２３によって覆われ、開口部２１を介して個室９の内部が覗けないようになる。また、個室９の外側から表示部１２を見ると、表示部１２には図８に示すように「使用中」の文字が現れ、これによって個室９を利用しようとする人が現在個室９が使用中であることを知ることができる。
【００２９】
表示部１２は個室用内幕５とともに折りたたむことができ、これにより、軽量かつ折りたたみ可能な仮設トイレ１が実現される。
【００３０】
以上、本発明の実施形態について説明したが、上記実施形態は本発明の適用例の一部を示したに過ぎず、本発明の技術的範囲を上記実施形態の具体的に限定する趣旨ではない。
【００３１】
例えば、上記実施形態では、小便器８の受け部８１及び排水チューブ１４を小便用外幕４に溶着しているが、溶着に代えて、接着剤、両面テープ等を用いて取り付けるようにしてもよい。
【００３２】
また、吊下幕２３を上側にめくった状態で固定する手段は、面ファスナー２４及び面ファスナー受け部２５に限定されず、ボタン、フック等を用いて固定するようにしてもよい。
【００３３】
また、吊下幕２３に記載される個室９が使用中であることを示すものは、文字の他、記号、イラスト、色であってもよい。
【符号の説明】
【００３４】
１    仮設トイレ
２    フレーム
４    小便用外幕（側面用幕）
５    個室用内幕（個室用幕）
８    小便器
９    個室
１３  ポリタンク（タンク）
１４  排水チューブ
１５  開口
２１  開口部
２３  吊下幕
２４  面ファスナー（固定手段）
２５  面ファスナー受け部（固定手段）
４１  覗き窓
８１  受け部
８２  成形バー
８３  成形バー
８４  排水口
【要約】      （修正有）【課題】軽量かつ折りたたみ可能な仮設トイレを提供する。【解決手段】仮設トイレは、仮設トイレの外形に沿って組み立てられるフレーム２と、フレーム２に固定され、仮設トイレの側面を形成する側面用幕４と、側面用幕４の内側に上側が開くように取り付けられる略逆三角形のシート状の受け部８１と、受け部８１がその上側を開いた形状を保持するように受け部８１の上縁部及び正面に着脱可能に取り付けられる成形バー８２、８３と、受け部８１で受けた小便を仮設トイレ外へと排出するための排水チューブと、を備え、受け部８１及び成形バー８２、８３によって小便器８が形成される。【選択図】図３【図１】
0005140188.tif 000002
【図２】
0005140188.tif 000003
【図３】
0005140188.tif 000004
【図４】
0005140188.tif 000005
【図５】
0005140188.tif 000006
【図６】
0005140188.tif 000007
【図７】
0005140188.tif 000008
【図８】
0005140188.tif 000009